(57)【要約】      （修正有）【課題】使い勝手の良いブレスレットの折り重ね留め金を提供する。【解決手段】ブレスレットの留め金であって、中央ブレード（３）の周りを旋回動し、装着者の腕の周りにブレスレットを保持するのに適した第一の閉じた位置と、該装着者の腕からブレスレットを取り外すのに適した第二の開いた位置に配置されることのできる第一および第二可動ブレード（１０、２０）を有し、前記二つの可動ブレード（１０、２０）は、留め金が閉じたおよび／または開いた状態にある際に、前記第一可動ブレードが操作されたときに前記第二可動ブレードを動作させる相互作動のための少なくとも一つの部材を有する。【選択図】図４
2013202413.tif 000002
【特許請求の範囲】
【請求項１】
ブレスレットの留め金であって、中央ブレード（３）の周りを旋回動し、装着者の腕の周りにブレスレットを保持するのに適した第一の閉じた位置と、該装着者の腕からブレスレットを取り外すのに適した第二の開いた位置に配置されることのできる第一および第二可動ブレード（１０、２０）を有し、
前記二つの可動ブレード（１０、２０）は、留め金が閉じたおよび／または開いた状態にある際に、前記第一可動ブレードが操作されたときに前記第二可動ブレードを動作させる相互作動のための少なくとも一つの部材を有する
ことを特徴とする、ブレスレットの留め金。
【請求項２】
前記第一可動ブレード（１０）は少なくとも一つのフィンガー部（１５）を有し、該フィンガー部は第一可動ブレード（１０）が操作されたときに前記第二可動ブレード（２０）と接触し、第二可動ブレードをロック／アンロックおよび／または第二可動ブレードを動作させる
ことを特徴とする、請求項１記載のブレスレットの留め金。
【請求項３】
前記第一可動ブレード（１０）の少なくとも一つのフィンガー部（１５）は留め金が閉じた状態の時に前記第二可動ブレード（２０）の表面に対して配置され、前記第一可動ブレード（１０）が開かれたときに前記第二可動ブレード（２０）をアンロックおよび／または開放させる
ことを特徴とする、請求項１または２記載のブレスレットの留め金。
【請求項４】
前記少なくとも一つの相互作動部材は、前記二つの可動ブレード（１０、２０）を閉じる際に、どちらのブレードが先であっても閉じることを可能とするために弾性的に格納可能であり、また前記可動ブレード（１０、２０）が開かれる際には、両ブレードが一つの操作で同時に開かれるよう、格納されない
ことを特徴とする、請求項１から３のいずれかに記載のブレスレットの留め金。
【請求項５】
前記第一可動ブレード（１０）は、第一可動ブレード（１０）が開かれる際に前記第二可動ブレード（２０）に接触して、前記第二可動ブレード（２０）を開くよう作動する弾性的に可動なフィンガー部（１５）を有し、該フィンガー部は前記第二可動ブレード（２０）の後に前記第一可動ブレード（１０）を閉じる際には、その閉じる動きを妨げないよう格納される
ことを特徴とする、請求項１から４のいずれかに記載のブレスレットの留め金。
【請求項６】
前記第一可動ブレード（１０）は、その自由端（１１）に可動に取り付けられる環（１４）を有し、その第一端はブレスレットの鎖と連結される部材を有し、第二端は凹部（１６）を有し、該凹部の中にフィンガー部（１５）が配置され、該フィンガー部にはばね等の弾性部材（１７）のばねの力によって前記環（１４）からフィンガー部（１５）が突出するよう作用する
ことを特徴とする、請求項２から５のいずれかに記載のブレスレットの留め金。
【請求項７】
前記留め金はさらに、前記中央ブレード（３）の上に折り重ねられた各可動ブレード（１０、２０）を、留め金を閉じる状態にロックして保持するための少なくとも一つのロック装置を有する
ことを特徴とする、請求項１から６のいずれかに記載のブレスレットの留め金。
【請求項８】
可動ブレード（１０、２０）の少なくとも一方の自由端（１１、２１）には、軸によって連結されたレバー（１２、２２）を有し、該レバーは連結部材（１３、２３）を有し、前記中央ブレード（３）は前記可動ブレード（１０、２０）をロック位置に保持するよう該連結部材（１３、２３）と相互作動する連結ポスト（４、５）を有し、前記レバー（１２、２２）は該連結部材（１３、２３）をロック位置に保持する方向のトルクを与える弾性部材を有する
ことを特徴とする、請求項１から７のいずれかに記載のブレスレットの留め金。
【請求項９】
前記レバー（１２、２２）を前記レバーの弾性部材に対抗して旋回させることにより、前記可動ブレード（１０、２０）の前記連結部材（１３、２３）と前記中央ブレード（３）の前記連結ポスト（４、５）とを噛み合わせたり離したりする
ことを特徴とする、請求項１から８のいずれかに記載のブレスレットの留め金。
【請求項１０】
前記二つの可動ブレード（１０、２０）は各々、可動ブレードを前記中央ブレード（３）にロックするため各自由端（１１、２１）に連結されるレバー（１２、２２）を有する
ことを特徴とする、請求項７から９のいずれかに記載のブレスレットの留め金。
【請求項１１】
前記第一可動ブレード（１０）は、一つまたは複数のフィンガー型の相互作動部材を有し、該相互作動部材は、前記第一可動ブレード（１０）をアンロックして開く際に前記第二可動ブレード（２０）の前記レバー（２２）の底面に配置されて前記第二可動ブレード（２０）を自動的にアンロックする
ことを特徴とする、請求項１から１０のいずれかに記載のブレスレットの留め金。
【請求項１２】
前記第一可動ブレード（１０）は、一つまたは複数のフィンガー型の相互作動部材（１５）を有し、該相互作動部材は、前記第二可動ブレード（２０）の後に前記第一可動ブレード（１０）を閉じる際にその表面に配置されて、前記相互作動部材とその部材が弾性的に格納される際の耐力を与え、その後前記第一可動ブレード（１０）がロック位置に到達すると、前記第二可動ブレード（２０）のレバー（２２）の底面の下に再度突出される
ことを特徴とする、請求項１０または１１に記載のブレスレットの留め金。
【請求項１３】
前記第一可動ブレード（１０）の前記レバー（１２）は、前記第一可動ブレード（１０）をアンロックする方向に操作するためのグリップ部（１９）を有する
ことを特徴とする、請求項８から１２のいずれかに記載のブレスレットの留め金。
【請求項１４】
前記留め金全体の厚みを最小とするために、前記グリップ部（１９）は前記二つの可動ブレード（１０、２０）の上面に少なくとも部分的に埋め込まれ、および／または前記グリップ部（１９）をつかみやすくするためにグリップ部の一端が前記第二可動ブレード（２０）の切欠き部（２９）内に配置される
ことを特徴とする、請求項１から１３のいずれかに記載のブレスレットの留め金。
【請求項１５】
二つの鎖を有するブレスレットであって、該二つの鎖の各端部は請求項１から１４のいずれかに記載の留め金に連結されていることを特徴とする、ブレスレット。
【請求項１６】
ブレスレット型腕時計であって、ブレスレットに請求項１から１４のいずれかに記載の留め金が連結されていることを特徴とする、ブレスレット型腕時計。
【発明の詳細な説明】
【技術分野】
【０００１】
本発明は、ブレスレット型腕時計の留め金およびそのような留め金を有するブレスレットとブレスレット型腕時計に関する。
【背景技術】
【０００２】
装着者の腕の周りに装着されるブレスレット型腕時計の二つの鎖を連結するための方法がいくつか提案されている。一つの方法は簡易であり、例えば簡単なバックル及びピンを一方に設置し、それを他方に設けた複数の穴に係止することにより相互に作用するような形の相互作動手段を、それぞれの鎖の端部に備えることから成る。そのような解決方法によると、相互作動手段が開かれた際に、ブレスレットの二つの鎖が直ちに離れてしまい、ブレスレット型腕時計が落下してしまう危険がある。
【０００３】
この問題を解決するための別の方法によると、二つのブレスレットの鎖の間に位置する留め金タイプの中間部材が備えられ、中間部材はこれら二つの鎖の端部に常に連結されたままである。そのような留め金は二つの位置をとりうる。閉じた位置は、腕時計を装着するための位置で、ブレスレットと留め金が腕の周囲に巻きつきかつ全体の長さはブレスレット型腕時計を保持可能であり、開いた位置は、ブレスレットの二つの鎖の端部を留め金から外すことなく分離し、ブレスレットと留め金の長さを伸ばすことにより装着者の手を通過させ腕時計を外すことを可能とする。この留め金の開いた位置において、ブレスレットの二つの鎖は分離されることがないので、腕時計が落下してしまう危険性が少ない。
【０００４】
「両開き留め金」と呼ばれる従来の留め金は、中央ブレードの二つの端部に対して回転可能に連結され、中央ブレードの上に折り重ねることが可能な二つのブレードからなる。この三つの折り畳み式ブレードを採用することにより、留め金が開いた位置にある時のブレスレットの長さを実質的に伸ばすことができる。
【０００５】
特許文献１は、両開き留め金の実施例を開示する。この方法は、留め金の各ブレードの弾性に部分的に頼る構造を採用することから、使用される材料に左右されるという第一の欠点を有する。このような留め金は、金や鋼といった様々な使用材料によってその特性が異なることから、理想的とはいえない。この方法の第二の欠点は、二つの可動ブレードが相互に独立して作動されることから、留め金を閉じる際と開く際に二つの異なる操作を必要とする点である。最後に、これら二つの可動ブレードの連結はあまり効率的でなく、確実でもないうえに、使用されるノッチング部材の消耗も早い。
【０００６】
特許文献２は、連結構造がより効率的である別の方法を開示する。しかしながら、開示される方法は、構造を作動させるために多くの操作を必要とするため、使い勝手が良くない。
【０００７】
特許文献３は、各ブレードをロック／アンロックする機構に連結される操作ボタンを加える構造を提案する。この方法によると、ボタンを操作するという一つの動作により留め金を開くことが可能となるものの、このボタンおよびそれに関連する機構が留め金の美観を損ねるため、好ましくない。
【０００８】
特許文献４は、第一ブレードにより第二ブレードを閉じた位置に保持する、別のタイプの両開き留め金を開示する。二つの可動ブレードの操作は、閉じられた位置において明確に定められた順番でなされなければいけないため、好ましくない。
【先行技術文献】
【特許文献】
【０００９】
【特許文献１】スイス特許第６４９２０５号明細書
【特許文献２】スイス特許第６９９０４４号明細書
【特許文献３】欧州特許第１９２５２２７号明細書
【特許文献４】スイス特許第６８９９３１号明細書
【特許文献５】欧州特許第１６５４９５０号明細書
【発明の概要】
【発明が解決しようとする課題】
【００１０】
従来のブレスレット型腕時計の優位な特徴を維持しつつ、その欠点を解消したブレスレット型腕時計の装着のための解決法が望まれている。
【００１１】
そのため、本発明は以下に記載した目的のすべてまたは一部を達成するものである。
【課題を解決するための手段】
【００１２】
本発明の第一の目的は、使い勝手の良い留め金を使ってブレスレットを閉じる方法を提供するものである。
【００１３】
本発明の第二の目的は、閉じた位置での結合が確実である留め金を使ってブレスレット型腕時計を閉じる方法を提供するものである。
【００１４】
本発明の第三の目的は、急速に摩耗することなく、使用される材料にかかわらず作動することのできる留め金を使ってブレスレット型腕時計を閉じる方法を提供するものである。
【００１５】
上記の目的を達成するため、本発明はブレスレットの留め金であって、留め金が閉じたおよび／または開いた状態にあるとき、二つの可動ブレードのうちの片方が作動された際に、少なくとも片方のブレードに作用して二つの可動ブレードを相互作動させるための、少なくとも一つの部材を有することを特徴とする留め金を提供する。
本発明は、添付された特許請求の範囲に定義されている。
本発明の目的、特徴および効果は、以下に提示する本発明の実施形態に関する詳細な説明および添付の図面によって明らかになるであろう。
【図面の簡単な説明】
【００１６】
【図１】図１は、本発明の一実施形態による留め金の開いた状態を示す斜視図である。
【図２】図２は、本発明の実施例による留め金の閉じた状態を示す上面図である。
【図３】図３は、本発明の実施例による留め金の閉じた状態を示す、中央面Ｉ−Ｉに沿った断面図である。
【図４】図４は、本発明の実施例による留め金の閉じた状態を示す、第一の中心から外れた面ＩＩ−ＩＩに沿った断面図である。
【図５】図５は、本発明の実施例による留め金の開いた状態を示す、第一の中心から外れた面ＩＩ−ＩＩに沿った断面図である。
【図６】図６は、本発明の実施例による留め金の閉じた状態を示す、第一の中心から外れた面ＩＩ−ＩＩに沿った断面の拡大図であり、相互作動フィンガー部の配置される部分を示す。
【図７】図７は、本発明の実施例による留め金の閉じた状態を示す、第一の中心から外れた面ＩＩ−ＩＩに沿った断面図である。
【図８】図８は、本発明の実施例による留め金の閉じた状態を示す、第一の中心から外れた面ＩＩ−ＩＩに沿った断面図である。
【図９】図９は、本発明の実施例による留め金の閉じた状態を示す、第一の中心から外れた面ＩＩ−ＩＩに沿った断面図である。
【図１０】図１０は、本発明の実施例による留め金の閉じた状態を示す、留め金の上部斜視図である。
【図１１】図１１は、本発明の実施例による留め金の開いたまたは閉じた状態を示す、第二の中心から外れた面ＩＩＩ−ＩＩＩに沿った断面図である。
【発明を実施するための形態】
【００１７】
以下に、両開き留め金の一実施形態を、詳細かつ限定的でない形態で示す。
【００１８】
図１に示す通り、本発明にかかる両開き展開型の留め金は、中央ブレード３を有し、中央ブレード３の両端には、それぞれ第一軸１および第二軸２の周りを旋回動可能に設置された第一折り重ね可動ブレード１０と第二折り重ね可動ブレード２０が配置される。中央ブレード３には、さらに可動ブレードを折りたたんだ位置で収納することを容易とし、留め金全体の厚さを最小限に抑えるための、複数の溝９が形成される。二つの可動ブレード１０、２０はそれぞれ、中央ブレード３と連結されるための軸１、２とは反対側の自由端１１、２１に、ブレスレットの鎖と連結するための手段を有する。ここでは、この自由端に回転可能に設置される少なくとも一つの第一環１４、２４を有する。また、可動ブレードを中央ブレードにロックまたはアンロックするためのロックおよび／またはアンロック装置が配設され、それにより以下に説明されるとおり、留め金は図２の上面図に示す閉じた配置および／または図１に示す開いた配置をとることができる。
【００１９】
本発明は、特に可動ブレード１０、２０をロックおよび／またはアンロックする装置に関するものではない。使い勝手が良く、確実かつ特に効果的であるようなロック装置を採用することができる。そのために、本発明では例えば、特許文献５に記載されている、図３に示す構成を採用する。そのために、二つの可動ブレード１０、２０はそれぞれ自由端に向かって、フック状に連結部材１３、２３に保持されるレバー１２、２２を有し、該レバーは中央ブレード３の表面の所定の部分に配置される連結ポスト４、５と相互作動することができ、例えば中央ブレード３の表面の中心部分が連結ポストに保持される。このレバー１２、２２はより詳しく言うと、可動ブレード１０、２０の自由端１１、２２に接続される環１４、２４の軸３１、３２の周りを回転するよう構成される。
【００２０】
この実施例によると、第一可動ブレード１０はフィンガー部１５に保持され、閉じた位置にある留め金のフィンガー部を含む断面を示す図４に記載された第二可動ブレード２０と相互作動する。図からわかるとおり、フィンガー部１５はレバー１２の端部を超えて、第二可動ブレード２０のレバー２２の下に収納される。この構造を採用することにより、本発明の留め金を身に付けた装着者は第一ブレードのレバー１２を操作するだけでロックを解除し二つの可動ブレード１０、２０を同時に開放することができる。特に、留め金を開放する過程の最初のステップを示す図５からわかるとおり、レバー１２をアンロックし、第一可動ブレード１０を展開する動きによって、第二可動ブレード２０にかかるレバー２２の表面に接触するフィンガー部１５の作用によりフィンガー部と接触する第二可動ブレード２０も開く。
【００２１】
図６に特に示す通り、フィンガー部１５は環１４の凹部１６に配置される。フィンガー部は本実施例ではコイルスプリングである弾性部材１７と相互作動し、例えば図４の上面図に示す通り、弾性部材によって環から突出する位置に保持される。凹部１６の外側端に向かう部分に配置されるリング１８は、フィンガー部１５の台部を構成する。弾性部材１７は好ましくは圧縮方向に作用し、好ましくは常に引張方向に作用し、フィンガー部１５に常に力を作用させることによりフィンガー部をリング１８に押しつける。変形例として、フィンガー部１５がリング１８に接触されるとき、弾性部材は静止するか静止位置に近い位置に配置される。凹部１６は、フィンガー部１５が弾性部材１７に対抗して凹部内を移動しつつ収容可能なような寸法に形成される。
【００２２】
本実施例の補完的な効果は、どのような順番であっても二つの可動ブレード１０、２０を閉じることが可能となることである。特に、フィンガー部１５を有する第一可動ブレード１０は当然最初に閉じることができる。一方、もし第二可動ブレード２０が最初に閉じられた場合、図７に示すように、第一可動ブレード１０に連結したレバー１２から突出したフィンガー部１５は、閉じられる際に第二可動ブレード２０の端部に接触され、より詳細には本実施例においてはレバー２２の端部に接触される。この接触の際、図８に示す通り、フィンガー部１５は凹部１６の内部に完全にもしくは部分的に収容され、図９に示す通り、第一可動ブレード１０が閉じた位置に達すると、フィンガー部は第二可動ブレード２０のレバー２２の下に設けた空間の、非収容位置に戻る。
【００２３】
ここで、フィンガー部１５の両端のレバー１２、２２およびレバーの任意のグリップ部は、可動ブレードの開閉の際に起こるすべての相互作動の動きを妨げないような形状であり、かつ必要な時にフィンガー部の格納を誘導する方向に作用する力を発揮するような形状に形成される。
【００２４】
第一可動ブレード１０、より詳しくはそのレバー１２は、ブレードの操作、特に開く動作、を容易にするためのグリップ部１９を有するが、その理由は第一可動ブレードが最初に開かれ、その後に自動的に第二可動ブレード２０が開かれる構造を採用しているからである。図２および図１０に示す通り、優位には、グリップ部１９はレバー１２の上部に配置され、留め金全体の厚みを最小限にしつつブレスレットの連続性の一部を成すよう、レバー１２の上表面に部分的に埋め込まれる。グリップ部１９と対向する第二可動ブレード２０のレバー２２の上部には、切欠き部２９が形成され、グリップ部１９をつかみやすくしている。この構造によると、グリップ部を操作することにより、第一可動ブレード１０をアンロックして開くことができ、それに誘導されて第二可動ブレード２０のレバー２２が作動しアンロックされる。
【００２５】
本実施例によると、各可動ブレード１０、２０はそれぞれロック／アンロック装置を有し、それらにより中央ブレード３の上に折り重ねられた位置に保持される。上述した通り、このロック／アンロック装置は、特許文献５に記載されたようなタイプのものであってよい。そのために、各可動ブレード１０、２０は、上述した通りその自由端に向かって連結部材により保持されたレバー１２、２２を有する。このレバーは、連結部材をロックする方向にレバーを回転させるトルクを付与する弾性体２７、３７に連結される。留め金がほんの少し開いた状態を示す、第二のオフセット面ＩＩＩ−ＩＩＩの断面図である図１１に、第一可動ブレード１０の弾性部材２７を示す。一例として、弾性部材２７は軸２８の周りに配置されるばねからなり、その一端はレバー１２とは別個の可動ブレード１０に固定された部分、特に環１４、に係止され、もう一端はレバー１２に係止される。後者はさらに台部１２ａを有し、それにより弾性部材の回転の動きはロック位置に対する方向に制限される。
【００２６】
第二可動ブレード２０の弾性部材３７は、留め金のオフセット面ＩＩ−ＩＩの断面図である図４、５、７、８に示される。弾性部材３７は例えば、軸３８の周りに配置されるばねからなり、その一端はレバー２２とは別個の可動ブレード２０に固定された部分、特に環２４、に係止され、もう一端はレバー２２に係止される。後者はさらに台部２２ａを有し、それにより弾性部材の回転の動きはロック位置に対する方向に制限される。
【００２７】
最後に、本発明の実施例にかかる留め金は、以下の効果を有する。
・二つの可動ブレードの内の片方のみ、または第二可動ブレードを自動的にアンロックおよび／または開放させるロック／アンロック装置を操作することにより、二つの可動ブレードをアンロックし、および／または少なくとも部分的に開くことができる。
・二つの可動ブレードは、どちらからでも閉じることができる。もしブレード（１０）がブレード（２０）より先に閉じられた場合、フィンガー部（１５）は二つのブレードを閉じる動作に関係しない。もしブレード（１０）がブレード（２０）より後に閉じられた場合、フィンガー部（１５）は格納される。
・本実施例は有効なロッキング／アンロッキング装置を、材料を問わず採用できるため、二つの可動ブレードのロックは信頼性が高く確実である。
【００２８】
もちろん、本実施例の両開き留め金を構成する部品の大半は、他の形状をとることができる。
【００２９】
たとえば、相互作動フィンガー部１５は他の形状をとることができ、どのような相互作動部材であってもよい。また、相互作動を安定化するために、二つ以上のフィンガー部を設けてもよい。この相互作動部材は、第二可動ブレードに限定された一つの動作、たとえばアンロックまたは駆動、のみを比較的長い移動を伴って行ってもよい。簡易化された例としては、フィンガー部は格納可能でなくてもよい。他の変形例として、直線的な移動ではなく、たとえば回転移動により格納されてもよい。もちろん、二つの可動ブレードの内のどちらに設置されてもよく、二つの可動ブレードの両方に部分的にまたがって設置されてもよい。さらに別の変形例として、二つの可動ブレードが相互作動部材を有し、それにより二つの可動ブレードのうちの一方もしくは他方を作動させることにより、留め金を開くことができるなどの構成を採用することができる。
【００３０】
さらに、本発明の可動ブレードは、他の形状を採用することができ、対称的であってもなくてもよく、またどのようなタイプのロックおよび／またはアンロック装置をも有することができる。一般的に、留め金そのものの構造も異なってよい。
【００３１】
本発明は、ブレスレット型腕時計に適用されるブレスレットを例に説明され、さらにそのようなブレスレット型腕時計に関わる。変形例として、本発明の留め金は、腕またはその他の部分に取り付けるための、他のどのようなブレスレットに採用されてもよい。例えば本発明の留め金は、深度ゲージ等のダイビング用品や、宝飾品に適用してもよい。
【符号の説明】
【００３２】
１  第一軸
２  第二軸
３  中央ブレード
４、５  連結ポスト
１０  第一折り重ね可動ブレード
２０  第二折り重ね可動ブレード
１１、２１  自由端
１２、２２  レバー
１３、２３  連結部材
１４、２４  第一環
１５  フィンガー部
１６  凹部
１７  弾性部材
１８  リング
１９  グリップ部
２９  切欠き部
【図１】
2013202413.tif 000003
【図２】
2013202413.tif 000004
【図３】
2013202413.tif 000005
【図４】
2013202413.tif 000006
【図５】
2013202413.tif 000007
【図６】
2013202413.tif 000008
【図７】
2013202413.tif 000009
【図８】
2013202413.tif 000010
【図９】
2013202413.tif 000011
【図１０】
2013202413.tif 000012
【図１１】
2013202413.tif 000013
【外国語明細書】
2013202413000001.pdf
2013202413000002.pdf
2013202413000003.pdf
2013202413000004.pdf